(57)【特許請求の範囲】
【請求項１】
壁紙を表示する表示部と、
前記壁紙を構成する描画オブジェクトが複数格納される記憶部と、
前記複数の描画オブジェクトの少なくとも一つを決定し、当該決定された描画オブジェクトの動きのパターンおよびサイズを乱数により決定し、当該決定の結果に基づき描画される画像を前記壁紙として前記表示部に表示させる制御部と、
を備える、携帯端末装置。
【請求項２】
前記複数の描画オブジェクトは、複数のグループに分けられており、
前記制御部は、
前記描画オブジェクトを前記グループ毎に乱数によって決定する、請求項１に記載の携帯端末装置。
【請求項３】
前記記憶部には特定日および特定時刻の少なくとも一方用に前記描画オブジェクトが格納され、
前記制御部は、
時刻情報を監視し、特定日または特定時刻になったことを検知すると前記記憶部から前記特定日または特定時刻用の描画オブジェクトを取得し、当該取得した特定日または特定時刻用の描画オブジェクトを前記背景画像と合成して前記表示部に表示する、請求項１または２に記載の携帯端末装置。
【請求項４】
複数の描画オブジェクト、ならびに、当該描画オブジェクトの複数の動きのパターンおよび当該描画オブジェクトの複数のサイズの少なくとも一方が格納される記憶部と、
前記複数の描画オブジェクトの少なくとも一部が、前記複数のサイズから乱数により決定されたサイズに少なくとも基づいて表示される表示部と、
前記表示部の表示を制御する制御部と、
を備える、携帯端末装置。
【請求項５】
複数の描画オブジェクトおよび当該描画オブジェクトの複数の動きのパターンが格納される記憶部と、
前記複数の描画オブジェクトの少なくとも一部が、前記複数の動きのパターンおよび複数のサイズから乱数により決定された動きのパターンおよびサイズに基づいて表示される表示部と、
前記表示部の表示を制御する制御部と、
を備える、携帯端末装置。
【請求項６】
前記複数の描画オブジェクトは、複数のグループに分けられている、請求項４または５に記載の携帯端末装置。
【請求項７】
前記記憶部は、特定日および特定時刻の少なくとも一方用に専用の描画オブジェクトが格納され、
前記表示部は、特定日または特定時刻に前記専用の描画オブジェクトを表示する、請求項４から６のいずれか一に記載の携帯端末装置。
【請求項８】
前記制御部は、
前記壁紙の表示要求があった場合に、前記描画オブジェクトと前記背景画像とを合成して前記表示部に表示する、請求項１から７のいずれか一に記載の携帯端末装置。
【発明の詳細な説明】
【技術分野】
【０００１】
本発明は、着信を待受ける待受け画像を表示可能な携帯端末装置に関するものである。
【背景技術】
【０００２】
携帯電話の普及とともに携帯電話の高機能化が進み、最近ではＷｅｂ（World Wide Web）を介してダウンロード取得した任意の画像を待受け画面に設定することができるようになった。
【０００３】
また、携帯電話で取り扱える画像形式が増え、ＪＰＥＧ（Joint Photographic Experts Group）形式、ＧＩＦ（Graphic Interchange Format）形式等の静止画像（あるいはアニメーションＧＩＦ形式）の他に、最近ではＦｌａｓｈ（Ｍａｃｒｏｍｅｄｉａ社の開発した形式名）コンテンツを壁紙として登録可能な携帯電話が存在する。
【０００４】
上記したＦｌａｓｈコンテンツ等をインストールすればデスクトップ上でキャラクタ等の動きを表現することができる。また、背景に時計表示機能付きのＦｌａｓｈ形式のコンテンツも出現している。
【０００５】
ところで、上記した表示の高精細化（大容量化）や、壁紙として動画像を設定可能な高機能化が進む中で、携帯電話の待受け画面に予め複数の画像を登録し、登録リストの中から表示する待受け画面を選出して表示を行う技術が提案されている（例えば、特許文献１参照）。
【先行技術文献】
【特許文献】
【０００６】
【特許文献１】特開２００３−３２４５０５号公報
【発明の概要】
【発明が解決しようとする課題】
【０００７】
上記した特許文献１に開示された技術によれば、壁紙を多数登録することにより多彩な壁紙デザインを提供することができる。
【０００８】
しかしながら、携帯電話の待受け画面上で多彩な壁紙デザインを提供するためにはおのずと大容量メモリが必要になることから、実際にはメモリ実装上の制約の中で切替え表示可能な壁紙デザインを提供している状況にある。このため、継続して携帯電話を使用している間にユーザに飽きが生じることは否めない。
【０００９】
また、複数の壁紙デザインを頻繁に変えて表示させようとすれば、対象の複数の壁紙デザインをＲＡＭ領域に保持することが困難になる。
【００１０】
ＲＡＭは比較的高価であるため、コスト的に無視できず、また、多数の表示データをＲＡＭ領域に保持しておくことで表示応答速度を向上させるうえでの不都合が生じる。
【００１１】
本発明はメモリの小容量化を実現しながらも多彩な壁紙デザインを提供することによりユーザに飽きを生じさせない携帯端末装置を提供することを目的とする。
【課題を解決するための手段】
【００１２】
本発明の第１の携帯端末装置は、壁紙を表示する表示部と、前記壁紙を構成する描画オブジェクトが複数格納される記憶部と、前記複数の描画オブジェクトの少なくとも一つを決定し、当該決定された描画オブジェクトの動きのパターンを決定し、当該決定の結果に基づき描画される画像を前記壁紙として前記表示部に表示させる制御部と、を備える。
【００１３】
本発明の第２の携帯端末装置は、複数の描画オブジェクト、ならびに、当該描画オブジェクトの複数の動きのパターンおよび当該描画オブジェクトの複数のサイズの少なくとも一方が格納される記憶部と、前記複数の描画オブジェクトの少なくとも一部が、前記複数の動きのパターンのいずれか、および前記複数のサイズのいずれかの少なくとも一方に基づいて表示される表示部と、前記表示部の表示を制御する制御部と、を備える。
【００１４】
本発明の第３の携帯端末装置は、複数の描画オブジェクトおよび当該描画オブジェクトの複数の動きのパターンが格納される記憶部と、前記複数の描画オブジェクトの少なくとも一部が、前記複数の動きのパターンのいずれかに基づいて表示される表示部と、前記表示部の表示を制御する制御部と、を備える。
【発明の効果】
【００１５】
本発明によれば、小容量化を実現しながらも多彩な壁紙デザインを提供することによりユーザに飽きを生じさせない携帯端末装置を提供することができる。
【図面の簡単な説明】
【００１６】
【図１】本発明の実施の形態に係る携帯端末装置の内部構成を示すブロック図である。
【図２】本発明の実施の形態に係る携帯端末装置の基本動作を示すフローチャートである。
【図３】本発明の実施の形態に係る携帯端末装置による抽選処理の処理手順を示すフローチャートである。
【図４】本発明の実施の形態に係る携帯端末装置で使用される描画オブジェクトの一例を示す図である。
【図５】本発明の実施の形態に係る携帯端末装置で使用される描画オブジェクトの画面配置パターンの一例を示す図である。
【図６】本発明の実施の形態に係る携帯端末装置で使用される描画オブジェクトの色配置パターンの一例を示す図である。
【図７】本発明の実施の形態に係る携帯端末装置の待受け画面の画面構成の一例を示す図である。
【発明を実施するための形態】
【００１７】
図１は、本発明の実施の形態に係る携帯端末装置の内部構成を示すブロック図である。ここでは、携帯端末装置として携帯電話１が例示されている。
【００１８】
図１に示されるように、携帯電話１は、通信部１１と、操作部１２と、音声処理部１３と、スピーカ１４と、マイクロフォン１５と、表示部１６と、記憶部１７と、制御部１８と、により構成される。
【００１９】
通信部１１は、複数の通信システムを捕捉し、例えば、ＣＤＭＡ２０００ １ｘ（以下、単に１ｘという）やＥＶＤＯの通信プロトコルにしたがい、不図示の移動通信網に接続される基地局を含む網側装置との間で無線通信を行う。
【００２０】
なお、ＥＶＤＯ通信は、１ｘ通信よりも高速であり、１ｘ通信は、ＥＶＤＯ通信と異なり、データ通信の他に音声通信もサポートするといった特徴を有している。
【００２１】
操作部１２は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部１８に入力する。
【００２２】
音声処理部１３は、スピーカ１４から出力される音声信号やマイクロフォン１５において入力される音声信号の処理を行う。
【００２３】
すなわち、音声処理部１３は、マイクロフォン１５から入力される音声を増幅し、アナログ−デジタル変換を行い、更に符号化等の信号処理を施し、デジタルの音声データに変換して制御部１８に出力する。
【００２４】
また、音声処理部１３は、制御部１８から供給される音声データに復号化、デジタル−アナログ変換、増幅等の信号処理を施し、アナログの音声信号に変換してスピーカ１４に出力する。
【００２５】
表示部１６は、例えば、液晶表示パネルや有機ＥＬ（Electro-Luminescence）パネルなどの表示デバイスを用いて構成されており、制御部１８から供給される映像信号に応じた画像を表示する。
【００２６】
具体的には、表示部１６は、発信時における発信先の電話番号、着信時における着信相手の電話番号、受信メールや送信メールの他に、日付、時刻、電池残量といったピクト画像、更には待受け画像の表示も含まれる。
【００２７】
記憶部１７は、制御部１８において処理に利用される各種のデータを記憶する。
【００２８】
記憶部１７は、例えば、制御部１８が実行するアプリケーションプログラム、通信相手の電話番号や電子メールアドレス等の個人情報を管理するアドレス帳、着信音やアラーム音を再生するための音声ファイル、各種の設定データ、プログラムの処理過程で利用される一時的なデータなどを保持する。
【００２９】
記憶部１７はまた、待受け画面を構成する、円系やライン系等にグループ分けされた、数種類の描画オブジェクトをベクタ形式（頂点とそれを結ぶ曲線の方程式）で保持し、必要に応じて制御部１８に読み出され、図形に展開される。すなわち、Ｆｌａｓｈ形式等の、表示オブジェクトごとのアニメーション制御可能な形式にて記憶部に記憶される。
【００３０】
なお、上記した記憶部１７は、例えば、不揮発性の記憶デバイス（フラッシュメモリ）やランダムアクセス可能な記憶デバイス（ＳＲＡＭ、ＤＲＡＭ）等によって構成される。
【００３１】
制御部１８は、携帯電話の全体的な動作を統括的に制御する。
【００３２】
すなわち、制御部１８は、携帯電話の各種の処理（回線交換網を介して行われる音声通話、電子メールの作成と送受信、インターネットのＷｅｂ（World Wide Web）サイトの閲覧などの制御）が操作部１２の操作に応じて適切な手順で実行されるように、上述した各ブロックの動作（通信部１１における信号の送受信、音声処理部１３における音声の入出力、表示部１６における画像の描画、表示など）を制御する。
【００３３】
制御部１８は、記憶部１７に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。すなわち、記憶部１７に格納されるオペレーティングシステムやアプリケーションプログラム（ここでは、特に待受けアプリ）等のプログラムから命令コードを順次読み込んで処理を実行する。
【００３４】
制御部１８はまた、複数の描画オブジェクトの少なくとも一つを抽選により決定し、当該決定された描画オブジェクトの色、配置場所、サイズ、動きのパターンの少なくとも一つを抽選し、当該抽選の結果に基づき特定の背景と合成して描画される待受け画像を表示部１６に表示する機能を有する。
【００３５】
このため、制御部１８は、主制御部１８０と、抽選処理部１８１と、描画制御部１８２と、表示制御部１８３と、表示メモリ部１８４と、タイマ監視部１８５とを備える。
【００３６】
抽選処理部１８１は、主制御部１８０による制御の下で乱数生成等により抽選処理を行う機能を有する。
【００３７】
抽選処理部１８１は、記憶部１７内に、あらかじめグループ分けして保持された、（例えば、図３にその一例が示される）円系やライン系の描画オブジェクトを抽選によって選択し、当選した描画オブジェクトを描画制御部１８２へ引き渡す。
【００３８】
抽選処理部１８１はまた、当選した描画オブジェクトの色、配置場所、サイズ、動きのパターンについてもそれぞれ抽選し、当該抽選結果を描画制御部１８２へ引き渡す。
【００３９】
描画制御部１８２は、抽選処理部１８１による抽選の結果決定される描画オブジェクトと、背景色や、時計等の付加的な表示物を含む背景画像を記憶部１７から読み出し、表示メモリ部１８４に展開するために高速演算および転送を行なう（描画）機能を有する。
【００４０】
描画制御部１８２はまた、タイマ監視部１８５によって監視される時刻情報および日付情報に基づき、ユーザの結婚記念日（特定日）等のイベントを検知し、記憶部１７から、ハートマーク等そのイベント用に用意された描画オブジェクトを取得し、当該描画オブジェクトを、特定の背景画像と合成して表示メモリ部１８４に描画してもよい。
【００４１】
描画制御部１８２は更に、タイマ監視部１８５によって監視される時刻情報および日付情報に基づき、季節毎に、記憶部１７から、例えば七夕用に保持される天の川や短冊や笹の葉等の描画オブジェクトを取得し、当該描画オブジェクトを、所定の背景色を有し、時計等の特定の背景画像と合成して表示メモリ部１８４に描画してもよい。
【００４２】
表示制御部１８３は、主制御部１８０による制御の下、表示メモリ部１８４に描画された表示データを表示部１６の表示タイミングに同期して読み出し、表示部１６に供給することにより所望の表示を得るものである。
【００４３】
なお、主制御部１８０は、複数の描画オブジェクトの少なくとも一つを抽選により決定し、当該決定された描画オブジェクトの色、配置場所、サイズ、動きのパターンの少なくとも一つを抽選し、当該抽選の結果に基づき特定の背景と合成して描画される待受け画像を表示部１６に表示する制御部１８としての機能を実現する。
【００４４】
そのために、主制御部１８０は、以下に説明する待受けアプリ実行時の壁紙表示処理に際し、上記した各ブロック（抽選処理部１８１、描画制御部１８２、表示制御部１８３、表示メモリ部１８４、タイマ監視部１８５）のシーケンス制御を司る。
【００４５】
なお、上記した各ブロック１８０〜１８５が持つ機能は、記憶部１７に記憶されるそれぞれのプログラムを制御部１８で実行することにより達成されるものであって、制御部１８内において実体的に他のブロックと区分され内蔵されるもののみを指すのではなく、あくまで説明の簡略化のために各処理部を分けて表現したものである。
【００４６】
図２、図３は、本発明の実施の形態に係る携帯端末装置の待受けアプリ実行時の壁紙表示処理を抽出して示したフローチャートであり、基本動作（図２）、抽選処理（図３）のそれぞれを示す。
【００４７】
以下、図２、図３のフローチャートを参照しながら、図１に示す本発明の実施の形態に係る携帯端末装置の動作について詳細に説明する。
【００４８】
制御部１８（主制御部１８０）は、電源投入時、まず、抽選処理部１８１による描画オブジェクトの抽選処理を起動する。
【００４９】
抽選処理（ステップＳ２１）は、図３にその詳細手順が示されるように、まず、主制御部１８０が、タイマ監視部１８５が特定日であることを示すイベントを通知しているか否かを判定することから始まる（ステップＳ２１１）。
【００５０】
ここで、「特定日」とは、誕生日や結婚記念日等、ユーザがあらかじめイベント登録した日時を示す。
【００５１】
主制御部１８０は、イベント登録した日時に未だ到達していない場合（ステップＳ２１１“Ｎｏ”）、抽選処理部１８１に対して描画オブジェクトの抽選処理を指示する。
【００５２】
ここで、抽選処理部１８１は、描画オブジェクトの抽選処理を実行するが、まずは、記憶部１７に記憶された、円系、ライン系のように数種類にグループ分けされ格納された描画オブジェクトの中から乱数による抽選を行い、ここで当選したグループの中からさらに一つの描画オブジェクトを選択する（ステップＳ２１２）。
【００５３】
一方、イベント時刻に到達した場合に（ステップＳ２１１“Ｙｅｓ”）、記憶部１７に追加登録された該当する特定日用の描画オブジェクトが抽選の対象となり、抽選処理部１８１は、この中から乱数抽選を行なう（ステップＳ２１３）。
【００５４】
具体的に、記憶部１７には、図４に示されるように、描画オブジェクトとして、（ａ）円系、（ｂ）ライン系１、（ｃ）ライン系２のグループ毎に４個ずつの合計１１個の描画オブジェクトがベクタ形式で格納されている。
【００５５】
また、記憶部１７には、イベント用に、特定時刻や特定日付、あるいは季節（日付単位での特定期間）ごとに対応づけて、ハートマーク、天の川や短冊模様、雪等の描画オブジェクトもあらかじめベクタ形式で格納されている。上記したステップＳ２１２、Ｓ２１３の抽選処理は、これら描画オブジェクトの中から少なくとも１つの描画オブジェクトを当選により選択するものである。
【００５６】
続いて、抽選処理部１８１は、当選した描画オブジェクトの、配置、色、サイズ、動きパターンの抽選を行なう（ステップＳ２１４）。
【００５７】
具体的に、抽選処理部１８１は、図５に示される３種類の画面配置パターン、すなわち、円系と、ライン系２種の３種類の画面上に定められた配置パターンの中から抽選する。
【００５８】
また、抽選処理部１８１は、３種類の色パターン、そして、図６に示されるように、指定ブロックのどのオブジェクトに色付けを行なうかを示す色配置パターンを抽選する。
【００５９】
したがって、描画オブジェクト数１１×画面配置パターン３×色パターン３×色配置パターン３×各オブジェクトパターン４の合計１１８８パターンのランダムな選択が可能であり、また、図示省略したが、他に、サイズや動きパターンについても追加することで多彩な描画オブジェクトを生成することができる。
【００６０】
上記したステップＳ２１４の抽選処理では、ステップＳ２１２、Ｓ２１３の処理で当選した描画オブジェクトの多彩な修飾パターンの中から少なくとも１つの描画オブジェクトパターンが当選により選択される。
【００６１】
説明を図２のフローチャートに戻す。上記した抽選処理部１８１による抽選処理の後（ステップＳ２１）、主制御部１８０は描画制御部１８２による描画処理を起動する。
【００６２】
描画制御部１８２は、抽選処理により当選した描画オブジェクトを記憶部１７から読み出し、その配置や色にしたがい表示メモリ部１８４に演算によりベクトル展開するとともに、更に記憶部１７から読み出される背景データとを合成することにより描画する（ステップＳ２２）。
【００６３】
表示メモリ部１８４に描画された表示データは、表示制御部１８３が表示部１６の表示タイミングに同期して読み出し表示部１６に出力することで、例えば、図７に示す表示形態にて表示することができる。
【００６４】
図７は、パレンタイン、七夕、クリスマス等の記念イベント日にそのために用意された描画オブジェクトと背景画像との合成表示例が示されている。
【００６５】
ところで、折り畳み式筐体を有する携帯電話１において、例えば、通話が終了してディスブレイ筐体を閉状態にした場合（ステップＳ２３“Ｙｅｓ”）表示部１６による表示は消去され（ステップＳ２４）、また、開状態が一定時間継続してもキー入力がなかった場合（ステップＳ２５“Ｙｅｓ”）、タイムアウトを検出して省電力化のために画面表示が消去される（ステップＳ２４）。
【００６６】
また、ディスプレイ筐体を閉状態から開状態に移行した場合や無操作状態の継続後のキー入力割り込み発生の場合など、あるいはタイムアウト時間内においては（ステップＳ２５“Ｎｏ”）、抽選による描画処理が再起動される（ステップＳ２２）。
【００６７】
画面内容が消去後（ステップＳ２４）、ディスプレイ筐体が開き、あるいはキー入力等を受信して待受け画面の表示要求があった場合（ステップＳ２６“Ｙｅｓ”）、主制御部１８０は、抽選処理部１８１による抽選処理（ステップＳ２７）、描画制御部１８２による描画処理を起動する（ステップＳ２８）。
【００６８】
抽選処理（ステップＳ２７）は上記したステップＳ２１（Ｓ２１１〜Ｓ２１４）と同様であり、また、描画処理（ステップＳ２８）は上記したステップＳ２２と同様であるため、重複を回避する意味で説明を省略する。
【００６９】
以上説明のように本発明の実施の形態に係る携帯端末装置によれば、複数の描画オブジェクトの少なくとも一つを抽選により決定し、当該決定された描画オブジェクトの色、配置場所、サイズ、動きのパターンの少なくとも一つを抽選し、当該抽選の結果に基づき特定の背景画像と合成して描画される待受け画像を表示することにより、記憶部１７の小容量化を実現しながらも多彩な壁紙デザインを提供することができ、したがってユーザに飽きを生じさせることのない待受け画面を提供できる。
【００７０】
また、記念日イベント、あるいは季節毎に用意された壁紙デザインを追加することで他社との差別化をはかった待受け画面の作成が可能であり、使い勝手の向上とともにユーザに利便性も提供することができる。
【００７１】
また、イベント毎の描画オブジェクトを通信部１１を用いてダウンロードしてもよい。この場合、待受画面を１枚分ダウンロードする場合に比べて、サイズ的に小さなオブジェクトをダウンロードするに過ぎないため、ダウンロードに要するコストや時間が少なくてすむ。
【００７２】
なお、図１に示す本発明の実施の形態において、表示メモリ部１８４を制御部１８が有する構成とした説明したが、表示メモリ部１８４を記憶部１７の所定の領域に割り当て、あるいは表示メモリ部１８４を表示部１６に有してもよい（但し、この場合、表示部１６に表示制御部１８３も含まれる）。
【００７３】
また、上記した本発明の実施の形態において、描画オブジェクトとして円系やライン系にグループ分けされた模様を、背景画像として時計のみ例示したが、いずれにおいてもその内容は任意である。
【００７４】
また、本発明の実施形態に係る携帯端末装置として携帯電話１のみ例示したが、同様の構成を有する、例えば、ＰＤＡ（Personal Digital Assistants）、や電子手帳、ゲーム機、あるいはノートＰＣ等に搭載される場合も同様に適用が可能である。
【００７５】
なお、図１に示す制御部１８が有する機能は、全てをソフトウェアによって実現しても、あるいはその少なくとも一部をハードウェアで実現してもよい。例えば、主制御部１８０、抽選処理部１８１におけるデータ処理は、１または複数のプログラムによりコンピュータ上で実現してもよく、また、その少なくとも一部をハードウェアで実現してもよい。
【符号の説明】
【００７６】
１・・・携帯電話、１１・・・通信部、１２・・・操作部、１３・・・音声処理部、１４・・・スピーカ、１５・・・マイクロフォン、１６・・・表示部、１７・・・記憶部、１８・・・制御部、１９・・・電池、１８０・・・主制御部、１８１・・・抽選処理部、１８２・・・描画制御部、１８３・・・表示制御部、１８４・・・表示メモリ部、１８５・・・タイマ監視部。
【図１】
0005535275.tif 000002
【図２】
0005535275.tif 000003
【図３】
0005535275.tif 000004
【図４】
0005535275.tif 000005
【図５】
0005535275.tif 000006
【図６】
0005535275.tif 000007
【図７】
0005535275.tif 000008